(57)【要約】      （修正有）【課題】使い捨て可能な、廃棄弁当容器を利用した、使用しないときは職場の引き出しのトレーとしても使えるパソコン操作用リストレストの提供。【解決手段】片手手のひら程度の任意の大きさの長方形又は楕円形のプラスチック製の廃棄弁当容器を、二つに裁断し、上下逆に４枚と２種類を用意し、パソコン操作時に、これを手首に敷き、マウスを操作する。柔軟なプラスチック製のリストレストで、空洞の構造が適度なたわみを与え手首の圧を吸収し、プラスチック製で軽い故に、ローラー不要でマウス操作時の手首の複雑な挙動に、床面を円滑に滑り動き、手首の動きに追随することが可能な、軽く薄く、衝撃にも強く破損に強く、パソコンバックの隙間に挿入も容易で、携帯性もある。撥水性・耐脂性で水・汚れを弾く。硬さ、高さが不足する場合、重ね合わせて調節可能である。【選択図】図５
2014160444.tif 000002
【特許請求の範囲】
【請求項１】
使い捨て可能なリストレスト
【請求項２】
さらに、廃棄弁当容器等廃棄容器を利用した請求項１のリストレスト。
【請求項３】
さらに、マウスやマウスパッド、ＬＡＮケーブル等サラリーマン等が出張等で携帯するパソコンアクセサリー等又は滞在先の生活用品等を収納可能な請求項１のリストレスト。
【請求項４】
さらに、使用しないときはサラリーマン等の職場の引き出し等のトレー等整理トレーとしても使える請求項１のレストリスト。
【発明の詳細な説明】
【技術分野】
【０００１】  本発明は、使い捨て可能な、廃棄弁当容器を利用した、マウスやマウスパッド、ＬＡＮケーブル又は筆記用具を収納可能で、高さ・硬さがブロックのように積み重ねで調整可能で、使用しないときは職場の引き出しのトレーとして使えるパソコン操作用リストレストに関するものである。
【技術背景】
【０００２】  サラリーマンの職場の昼休みに、社員食堂や外食での昼食や昼食をコンビニエンスストアーやスーパー、或いは特許庁のような霞ヶ関界隈ならファーストフードや街頭で売っているレストランやお弁当売り等のテイクアウトの弁当を職場の椅子やその他で食べるのは一般的な風景である。また、その職場の居室の机に一人１台のパソコンとマウスがある風景も、もはや特殊な風景ではなくありふれた光景である。また、その職場を離れて出張に出る、例えば東海道新幹線等の座席でサラリーマン風の紳士がモバイルパソコンを出張カバンから出して操作しているのも、珍しい光景ではなく、ありふれた光景である。
【０００３】  パソコン操作が在宅時及び職場の業務において長時間に及ぶのに、リストレストを使用せず、それ故に手首の疲れを常日頃感じていた。在宅においては単にリストレストみたいな器具があることを知らなかった為で、職場においては不支給だからである。在宅時、廃棄する食品容器、例えばスーパーの弁当容器のごはんやおかずの収納部分のくぼみ、これを容器を上下逆にすることで、このくぼみをクッションにして、パソコン操作時、マウスを動かしながら手首に敷き、コタツのテーブルで手首を動かし、リストレストとして試してみると、硬いというプラスチックのイメージとは逆に、意外なほどクッション状なくぼみの作用で、手首が心地良いのみならず、複雑微妙なマウス操作時の手首の動きに、逆さにした弁当容器のコタツ台をすべる円滑性があることを見出した。
【０００４】  ただ、手首の力量の入れ方の強弱で、逆さにした弁当容器のくぼみ部分がへこみ、又はへこんだままつぶれることがある。１枚ではなく、重ねて補強が必要である。微妙なマウス操作時の手首の動きに、追随できる職場の机など固い平面上の弁当容器がリストレストとしてよく滑すべるという長所は、パソコンショップ等家電量販店で市販されているクッション状のリストレストの柔軟性や手首へのグリップ性は劣るが、環境負荷の低減さ、加工の容易さ、入手の容易さと種類の豊富さだけでなく、在宅・職場の机のパソコン机の引き出しの環境の整理というトレーにもなる応用性と合わせ、汚れたり不用になったりすれば即廃棄可能であり、水・油をはじき机から落下しても破損せず、平べったく且つ軽いためバッグに挿入して携帯も容易なほかの長所も生かし、リストレストとして機能できないか考えた。
【０００４】  マウス収納具として、マウスパッドを兼ねる優れた考案がなされている。廃棄容器を利用した、使い捨て可能な、廃棄弁当容器を利用した、パソコン操作用リストレストを見出すことができなかった。
【特許文献１】登録実用新案第３０７２９０５号
【０００５】  更に、裏返したらパソコンのリストレストとして機能し、表はマウスやマウスパッド、ＬＡＮケーブル又は筆記用用具等サラリーマンの出張業務で通常携帯する小物を入れ携帯するリストレストを兼ねるパソコン周辺機器携帯ケースとして、また出張せず職場のデスクワーク時には、そのデスクの引き出しの筆記用具等の整理トレーとして機能できないか、その３通りの使用が可能ではないか思いついた。出張しても、職場でも使用可能なケースが、サラリーマンの昼食時よく目にする弁当容器から作り出せれば、環境負荷低減やごみ削減だけでなく、材料費が廉価であり、出張やデスクワークの仕事のしやすさの向上にも資する。
【０００６】  また、出張先で、筆記用具入れなど、その出張が１週程度の短期滞在型の出張ならば、出張先での作業机での筆記用具入れ、また滞在先のホテルでの例えば、石鹸入れなど入れ物類の備え付けが乏しいユニットバスや洗面所でも、石鹸入れやかみそりケース等その耐水性・撥水性、軽量性や落下しても破損しない柔軟性、コンパクト性などの利点が見出せる。不用になれば、出張先で廃棄でき、お土産で帰路荷物を減らしたいときも柔軟な対応が可能である。
【０００７】  人によって手首の形、パソコン操作時の手首への力量の入れ方とその強さは微妙に違う。また、リストレストの丁度良い高さも簿妙に異なる。また、パソコンの操作目的やその業務内容によっても、パソコンのキーボード操作やマウスの動きも異なり、必要とされるリストレストも異なってくることになる。更に、リストレストを使うことは、通常はパソコン操作時にマウスを長時間使いその手首の疲労等負担軽減の為だが、パソコン、マウスとリストレストと３点が揃う机のスペースも、無限に広い訳ではなく限られたものと想定すべきなら、コンパクトであれば尚良い。また、長時間のみならず長期間使用すれば、皮脂やコーヒー・お茶等の嗜好品等で汚れることも考えられる。また、机又はちゃぶ台、勤務時なら職場の机から床に落下したり、外出又は出張時には、パソコン携帯バッグに、パソコン・マウス及びコード類と共に狭いバッグ内に収納し、車・バス・電車又は航空機にて振動で衝撃に耐えながら移動することも考慮する必要がある。
また、小生のように在宅時にリストレストを使用していなかった、或いは業務上全く支給されなかった場合、機能的・空間的制約のみならず、職場の予算等費用的な制約も考慮に入れる必要もあるが、廃棄弁当容器なら職場の予算などの費用の心配は皆無と考えられた。廃棄弁当容器を有効活用しているため、特に職場の風紀を乱すということにも当たらない。
【０００８】  片手手のひら程度の任意の大きさの長方形又は楕円形のプラスチック製の廃棄するスーパーの弁当容器を、中間から二つに裁断し、まずごはん収納部分のくぼみを持つ半分は疲労滑り止め付の横長の平坦なこぼみをもち、上下逆にすると面で手首を置く形となりこれを４枚と、次におかず収納部はおかず収納部分のくぼみとして大中小の凸部に凹部のへこみを付し、上下逆にすると置く手首が長時間老いても蒸れにくくした、丁度点で手首を置く形となりこれも４枚と２種類を用意する。そして、パソコン操作時にマウスを動かしながら、これを手首に敷き、マウスを操作する。
【０００９】  柔軟なプラスチック製のリストレストである。空洞の構造が適度なたわみを与え手首の圧を吸収する。また、プラスチック製で軽い故に、ローラー不要でマウス操作時の手首の複雑な挙動に、床面を円滑に滑り動き、手首の動きに追随することが可能である。軽く薄く、衝撃にも強く破損に強く、パソコンバックの隙間に挿入も容易で、携帯性もある。撥水性・耐脂性で水・汚れを弾く。硬さ、高さが不足する場合、重ね合わせて調節可能である。廃棄物利用であり、環境負荷低減、ごみ削減、石油資源の節約になる。形状の加工も可能である。使い捨てが可能であり、衛生管理も容易且つ廉価で適切に継続可能である。洗浄が可能である。手首と本発明との密着性を向上させる為、軽さゆえの床面を手首と共に円滑に動く利点を減殺しない程度の重さのゴムシートを施す。重ね合わせた際の、上下の本発明の密着性も向上させる。手首を乗せるのに適した形状に、程よい谷間があり手首と本発明との密着性向上に寄与しており、心地よい引っかかり感を、空洞の構造が適度なたわみを与え手首の圧を吸収するのに相まって、プラスチック製の硬いイメージと反する柔らかな使用感を出す。
【００１０】これを、下敷きのように１枚から４枚各々敷く。これによって高さと硬さ調整が可能である。且つ面の形は点の形を下に敷くことが更にでき、最大４枚＋４枚＝８枚の高さ・硬さに調整が可能である。更に、長さがこの両方とも足りず、手首だけでなく前腕まで支えが欲しいときは、半分に裁断しない弁当容器を１枚別に用意し、面４枚＋１枚と点４枚＋１枚とを縦に直列に並べたリストレストを組むことも可能である。更に、この組み合わせで使用しないものは、職場の机の中の整理トレーとして、裏返してマウスや筆記用具、消しゴム、付箋、クリップなどの整理トレーとして使用が可能である。だから、不使用の際、ただでさえ広くない職場の机のスペースの有効利用にも資する。更に不用なら、廃棄することが可能である。足りなくなれば、昼食に同じ弁当を食し洗って切って増設可能である。仕事帰りに、パソコンショップに行く手間と暇と費用、地球環境とごみ削減に貢献する。また、利用可能な食品容器、弁当容器で自己のリストレストに合致するものがあれば、加工も可能である。
【課題を解決するための手段】
【００１１】  片手手のひら程度の任意の大きさの長方形又は楕円形のプラスチック製の廃棄するスーパーの弁当容器を、中間から二つに裁断し、まずごはん収納部分のくぼみを持つ半分は疲労滑り止め付の横長の平坦なこぼみをもち、上下逆にすると面で手首を置く形となりこれを４枚と、次におかず収納部部はおかず収納部分のくぼみとして大中小の凸部に凹部のへこみを付し、上下逆にすると置く手首が長時間老いても蒸れにくくした、丁度点で手首を置く形となりこれも４枚と２種類を用意する。そして、パソコン操作時にマウスを動かしながら、これを手首に敷き、マウスを操作する。
【発明の効果】
【００１２】  柔軟なプラスチック製のリストレストである。空洞の構造が適度なたわみを与え手首の圧を吸収する。また、プラスチック製で軽い故に、ローラー不要でマウス操作時の手首の複雑な挙動に、床面を円滑に滑り動き、手首の動きに追随することが可能である。軽く薄く、衝撃にも強く破損に強く、パソコンバックの隙間に挿入も容易で、携帯性もある。撥水性・耐脂性で水・汚れを弾く。硬さ、高さが不足する場合、重ね合わせて調節可能である。廃棄物利用であり、環境負荷低減、ごみ削減、石油資源の節約になる。形状の加工も可能である。使い捨てが可能であり、衛生管理も容易且つ廉価で適切に継続可能である。洗浄が可能である。手首と本発明との密着性を向上させる為、軽さゆえの床面を手首と共に円滑に動く利点を減殺しない程度の重さのゴムシートを施す。重ね合わせた際の、上下の本発明の密着性も向上させる。手首を乗せるのに適した形状に、程よい谷間があり手首と本発明との密着性向上に寄与しており、心地よい引っかかり感を、空洞の構造が適度なたわみを与え手首の圧を吸収するのに相まって、プラスチック製の硬いイメージと反する柔らかな使用感を出す。
【００１３】  これを、下敷きのように１枚から４枚各々敷く。これによって高さと硬さ調整が可能である。且つ面の形は点の形を下に敷くことが更にでき、最大４枚＋４枚＝８枚の高さ・硬さに調整が可能である。更に、長さがこの両方とも足りず、手首だけでなく前腕まで支えが欲しいときは、半分に裁断しない弁当容器を１枚別に用意し、面４枚＋１枚と点４枚＋１枚とを縦に直列に並べたリストレストを組むことも可能である。更に、この組み合わせで使用しないものは、職場の机の中の整理トレーとして、裏返してマウスや筆記用具、消しゴム、付箋、クリップなどの整理トレーとして使用が可能である。だから、不使用の際、ただでさえ広くない職場の机のスペースの有効利用にも資する。更に不用なら、廃棄することが可能である。足りなくなれば、昼食に同じ弁当を食し洗って切って増設可能である。仕事帰りに、パソコンショップに行く手間と暇と費用、地球環境とごみ削減に貢献する。また、利用可能な食品容器、弁当容器で自己のリストレストに合致するものがあれば、加工も可能である。
【図面の簡単な説明】
【００１４】
【図１】本発明の斜見図である。
【図２】本発明の斜見図である。
【図３】本発明の斜見図である。
【図４】本発明の斜見図である。
【図５】本発明の斜見図である。
【図６】本発明の斜見図である。
【図７】本発明の斜見図である。
【図８】本発明の斜見図である。
【図９】本発明の斜見図である。
【図１０】本発明の斜見図である。
【図１１】本発明の斜見図である。
【図１２】本発明の斜見図である。
【図１３】本発明の斜見図である。
【図１４】本発明の斜見図である。
【図１５】本発明の斜見図である。
【図１６】本発明の斜見図である。
【図１７】本発明の斜見図である。
【図１８】本発明の斜見図である。
【図１９】本発明の斜見図である。
【図２０】本発明の斜見図である。
【発明を実施するための形態】
本発明を実施するための形態を説明する。
【符号の簡単な説明】
１  廃棄弁当容器
２  滑り止めゴム
３  蓋
４  マウスパッド
５  ＣＤ又はＤＶＤロムフック部
６  マウス
７  コード
８  消しゴム
９  筆記用具
１０  携帯電話
１１  印鑑
１２  ダブルクリップ
１３  引き出し
１４  石鹸
１５  シャンプー
１６  髭剃り
【図１】
2014160444.tif 000003
【図２】
2014160444.tif 000004
【図３】
2014160444.tif 000005
【図４】
2014160444.tif 000006
【図５】
2014160444.tif 000007
【図６】
2014160444.tif 000008
【図７】
2014160444.tif 000009
【図８】
2014160444.tif 000010
【図９】
2014160444.tif 000011
【図１０】
2014160444.tif 000012
【図１１】
2014160444.tif 000013
【図１２】
2014160444.tif 000014
【図１３】
2014160444.tif 000015
【図１４】
2014160444.tif 000016
【図１５】
2014160444.tif 000017
【図１６】
2014160444.tif 000018
【図１７】
2014160444.tif 000019
【図１８】
2014160444.tif 000020
【図１９】
2014160444.tif 000021
【図２０】
2014160444.tif 000022